(57)【要約】【課題】回転体の停止時に発生する振動を効率的に吸収し、従来よりも回転体の振動を低減することのできる遊技台の可変表示装置を提供する。【解決手段】複数の絵柄を配置したリール１５００を回転させるモータ１４１０を備えた遊技台の可変表示装置であって、モータ１４１０を固定したモータ固定板１４００を取り付けるブラケット１３００を備え、モータ固定板１４００をブラケット１３００に対して回転可能に支持するスペーサ１７１０と、このモータ固定板１４００の振動を減衰させるコイルスプリング１７２１とを備え、モータ固定板１４００とブラケット１３００との間に防振ゴムからなる防振部材１７３０を設けて、モータ１４１０が停止する時の慣性力に基づいて発生する前記リール１５００の振動を吸収するようにした。【選択図】図７
2008006041.tif 000002
【特許請求の範囲】
【請求項１】
回転体を回転させるモータを備えた遊技台の可変表示装置であって、
モータ停止時の慣性力に基づいて発生する前記回転体の振動を吸収する振動吸収手段を前記モータに備えたことを特徴とする遊技台の可変表示装置。
【請求項２】
請求項１記載の遊技台の可変表示装置であって、
前記モータを取り付けるブラケットを備え、
前記振動吸収手段は、前記モータ自体を前記ブラケットに対して回転可能に支持する支持部材と、前記モータ自体の回転を減衰させる弾性部材と、からなることを特徴とする遊技台の可変表示装置。
【請求項３】
請求項２記載の遊技台の可変表示装置であって、
前記モータと前記ブラケットとの間に、前記モータ自体の振動を減衰させる第２の弾性部材を設けたことを特徴とする遊技台の可変表示装置。
【請求項４】
請求項２または３記載の遊技台の可変表示装置であって、
前記モータが前記ブラケットに回転可能に支持される支持部分に、減摩手段を設けたことを特徴とする遊技台の可変表示装置。
【請求項５】
請求項１記載の遊技台の可変表示装置であって、
前記モータを取り付ける前記ブラケットを備え、
前記振動吸収手段は、前記モータ自体を前記ブラケットに対して支持する弾性支持部材からなり、前記弾性支持部材は前記モータ自体の振動を減衰させることが可能なことを特徴とする遊技台の可変表示装置。
【請求項６】
請求項１記載の遊技台の可変表示装置であって、
前記振動吸収手段は、前記モータの回転軸に設けられ、前記回転体の振動を減衰させる弾性部材からなることを特徴とする遊技台の可変表示装置。
【請求項７】
請求項１乃至６のいずれか１項に記載の遊技台の可変表示装置を備えた遊技台であって、
複数種類の絵柄が施された複数の回転体と、
前記複数の回転体の回転を開始させるスタートスイッチと、
前記複数の回転体それぞれに対応して設けられ、前記回転体の回転を個別に停止させるストップスイッチと、
予め定められた複数種類の入賞役の内部当選の当否を抽選により判定する抽選手段と、
停止時の前記複数の回転体により表示された絵柄の組合せが、前記抽選手段により内部当選した入賞役の絵柄組合せであるか否かにより当該入賞役への入賞を判定する判定手段と、
を備えたことを特徴とする遊技台。
【請求項８】
請求項１乃至６のいずれか１項に記載の遊技台の可変表示装置を備えた遊技台であって、
所定の入賞口を有する遊技盤を備え、
前記所定の入賞口に遊技球が入球することにより、所定の特典を与えることを特徴とする遊技台。
【発明の詳細な説明】
【技術分野】
【０００１】
本発明は、スロットマシン（パチスロ）、パチンコ機に代表される遊技台に用いる、回転体を回転させることで可変表示を行う遊技台の可変表示装置、及びこの可変表示装置を備える遊技台に関する。
【背景技術】
【０００２】
従来、スロットマシンやパチンコ機などの遊技台では、遊技を開始すると、複数種類の図柄が表示窓を介して変動表示（可変表示）される。そして、表示が停止された時の図柄組み合せに応じて、メダル等の遊技媒体の払い出しが行われる。
【０００３】
このような図柄の可変表示を行わせる装置としては、代表的なものとして、周囲に複数種類の図柄を施したリール（回転体）を回転させ、表示窓を介して図柄の変動表示を行う可変表示装置が挙げられる。そして、このような可変表示装置では、リールをステッピングモータで回転制御することによって、任意の停止位置で図柄を停止させるのが一般的である。
【０００４】
ところで、従来の可変表示装置を用いた遊技台では、リールを急激に停止させる必要があることから、停止時にリールが振動してしまうといった問題点があった。このような問題を解決すべく、リールとモータ軸との間に弾性部材を介して停止時の振動を吸収させるようにしたリール駆動装置が提案されている（例えば、特許文献１参照）。
【０００５】
【特許文献１】特開平１−１２９８６５号公報
【発明の開示】
【発明が解決しようとする課題】
【０００６】
しかしながら、上記特許文献１に記載の遊技台は、弾性部材の変形によって停止時のリールの振動を緩和することができるものの、リールの振動を充分吸収できないといった問題があり遊技者にとってはリール停止時におけるリールの挙動が煩わしく感じられる場合があり、遊技者の遊技意欲を減退させる一因ともなっていた。
【０００７】
本発明は、このような問題点を解決するためになされたものであって、回転体の停止時に発生する振動を効率的に吸収し、従来よりも回転体の振動を低減することのできる遊技台の可変表示装置、及び可変表示装置を備える遊技台を提供することを目的とする。
【課題を解決するための手段】
【０００８】
前記課題を解決するために、請求項１に係る発明は、回転体を回転させるモータを備えた遊技台の可変表示装置であって、モータ停止時の慣性力に基づいて発生する前記回転体の振動を吸収する振動吸収手段を前記モータに備えたことを特徴とする。
【０００９】
請求項２に係る発明は、請求項１記載の遊技台の可変表示装置であって、前記モータを取り付けるブラケットを備え、前記振動吸収手段は、前記モータ自体を前記ブラケットに対して回転可能に支持する支持部材と、前記モータ自体の回転を減衰させる弾性部材と、からなることを特徴とする。
【００１０】
請求項３に係る発明は、請求項２記載の遊技台の可変表示装置であって、前記モータと前記ブラケットとの間に、前記モータ自体の振動を減衰させる第２の弾性部材を設けたことを特徴とする。
【００１１】
請求項４に係る発明は、請求項２または３記載の遊技台の可変表示装置であって、前記モータが前記ブラケットに回転可能に支持される支持部分に、減摩手段を設けたことを特徴とする。
【００１２】
請求項５に係る発明は、請求項１記載の遊技台の可変表示装置であって、
前記モータを取り付ける前記ブラケットを備え、前記振動吸収手段は、前記モータ自体を前記ブラケットに対して支持する弾性支持部材からなり、前記弾性支持部材は前記モータ自体の振動を減衰させることが可能なことを特徴とする。
【００１３】
請求項６に係る発明は、請求項１記載の遊技台の可変表示装置であって、前記振動吸収手段は、前記モータの回転軸に設けられ、前記回転体の振動を減衰させる弾性部材からなることを特徴とする。
【００１４】
請求項７に係る発明は、請求項１乃至６のいずれか１項に記載の遊技台の可変表示装置を備えた遊技台であって、複数種類の絵柄が施された複数の回転体と、前記複数の回転体の回転を開始させるスタートスイッチと、前記複数の回転体それぞれに対応して設けられ、前記回転体の回転を個別に停止させるストップスイッチと、予め定められた複数種類の入賞役の内部当選の当否を抽選により判定する抽選手段と、停止時の前記複数の回転体により表示された絵柄の組合せが、前記抽選手段により内部当選した入賞役の絵柄組合せであるか否かにより当該入賞役への入賞を判定する判定手段と、を備えたことを特徴とする。
【００１５】
請求項８に係る発明は、請求項１乃至６のいずれか１項に記載の遊技台の可変表示装置を備えた遊技台であって、所定の入賞口を有する遊技盤を備え、前記所定の入賞口に遊技球が入球することにより、所定の特典を与えることを特徴とする。
【発明の効果】
【００１６】
本発明に係る遊技台の可変表示装置は、回転体の停止時に発生する振動を効率的に吸収し、従来よりも回転体の振動を低減することができる。また、回転体の振動を低減した可変表示装置を備える遊技台を提供することができる。
【発明を実施するための最良の形態】
【００１７】
複数の絵柄を配置した回転体を回転させるモータを備えた遊技台の可変表示装置であって、モータを取り付けるブラケットを備え、モータ自体をブラケットに対して回転可能に支持する支持部材と、モータ自体の振動を減衰させる弾性部材とからなる振動吸収手段を設けることにより、モータ停止時の慣性力に基づいて発生する前記回転体の振動を吸収するようにした。
【実施例】
【００１８】
＜全体の構成＞
図１は、本発明の実施例に係る遊技台としてのスロットマシン１００の外観を示す正面図である。
【００１９】
スロットマシン１００は、本体１０１に前面扉２０１を開閉可能に蝶着して構成してある。スロットマシン１００の内部には、複数種類の絵柄が施された複数のリールを備えた可変表示装置１０００が配設してある。また、可変表示装置１０００の上方には、液晶表示装置１８０が配設されている。
【００２０】
可変表示装置１０００は、後述の主制御部３００によって遊技の結果に対応して表示制御が行われる。また、液晶表示装置１８０は、後述の主制御部３００からの制御命令を受けた副制御部４００からの制御命令を受けた液晶画面制御部５００によって表示制御が行われている。そして、可変表示装置１０００は、遊技結果としての絵柄表示が行われ、遊技者は可変表示装置１０００を観察することで入賞の有無を直接的に確認することができるようになっている。
【００２１】
一方、液晶表示装置１８０は、可変表示装置１０００が表示する入賞絵柄の組み合わせとは異なる絵柄を表示する。即ち、副制御部４００からの制御命令を受けて多様な表示態様で種々の情報を表示することにより、遊技者に指示を与えたり、遊技を盛り上げる。なお、本体１０１の両サイドには、取手部１０１ｃが設けられ、スロットマシン１００の運搬の際に利用される。
【００２２】
次に、可変表示装置１０００について簡単に説明する。可変表示装置１０００は、前面扉２０１の上部前面に、リール表示窓１１３を介して設けられている。リール表示窓１１３の正面から見ると可変表示装置１０００はリール１１０〜１１２で構成されている。これに施された絵柄がリール表示窓１１３から縦方向に３つ見えるようになっている。つまり、全リール１１０〜１１２が停止した場合、遊技者は、３×３の合計９個の絵柄を見ることができる。これらのリール１１０〜１１２が回転し、停止することにより、様々な絵柄の組み合せがリール表示窓１１３に表示されることになる。なお、本実施例では、３個のリールを備えるものとしたが、リールの数やリールの設置位置はこれに限定されるものではない。
【００２３】
各リール１１０〜１１２の裏側には、リール表示窓１１３上に表示される個々の絵柄を照らすためのバックライト（図示せず）が配置されている。バックライトは、例えば、７色（赤、緑、青紫の三原色と、白色等をはじめとするこれらの混合色）の光を発することが可能であり、各原色に対応したＬＥＤ等を含んで構成される。
【００２４】
入賞ライン表示ランプ１２０は、遊技毎に有効となる入賞ライン１１４を示すランプである。有効となる入賞ライン１１４は、スロットマシン１００に投入された遊技媒体（本実施例ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００２５】
スタートランプ１２１は、リール１１０〜１１２が回転することができる状態にあることを遊技者に知らせるランプである。再遊技ランプ１２２は、入賞役である再遊技に入賞したとき（例えば、リプレイ−リプレイ−リプレイ等の再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。
【００２６】
告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２７は、遊技開始にあたって遊技者にメダルの投入が必要であることを報知するランプである。
【００２７】
メダル投入枚数表示ランプ１２６は、遊技者が投入したメダル枚数を表示するランプである。本実施例では、１回の遊技に最大３枚までメダル投入できるので、縦に配置した３つのランプを用いてメダル投入枚数を表示している。無論、ランプで表示する他に７セグメント表示器等で直接メダル投入枚数を表示しても良い。
【００２８】
払出枚数表示器１２４は、メダルの払い出しのある何らかの入賞役に入賞したとき、遊技者へ払い出されるメダルの枚数を表示する表示器である。遊技回数表示器１２５は、ビッグボーナスゲーム中の一般ゲームの回数等を表示する表示器である。貯留枚数表示器１２８は、電子的に貯留（クレジット）しているメダルの枚数を表示する表示器である。
【００２９】
メダル投入ボタン１３３、１３２は、貯留されたメダルをスロットマシン１００へ電子的に投入するための投入ボタンであり、いわゆるベットボタンと呼ばれているものである。本実施例では、最大メダル投入ボタン１３３（いわゆるマックスベットボタン）と、１回押下するごとに１枚のメダルを投入する１枚メダル投入ボタン１３２とを有し、これらのボタンのいずれかを押下することにより遊技に必要な１〜３枚のメダルがスロットマシン１００へ電子的に投入される。２枚のメダルを投入する場合は、１枚メダル投入ボタン１３２を２回押下することとなる。投入されたメダル枚数分は、現在の貯留枚数から減算されて残枚数が貯留枚数表示器１２８に表示される。
【００３０】
メダル投入口ブロック１３４は、遊技を開始するに当たって遊技者が直接メダルを投入するための開口を有する（なお、以下メダル投入口１３４ということがある）。メダルを直接投入した際に、メダル投入口直下にあるメダルセレクターユニット（図示せず）内にメダルが詰まってしまった場合は、メダルキャンセルスイッチ１３４ａを操作することによってメダルの詰まりを解消させる。スタートレバー１３０は、遊技の開始操作として、リール１１０〜１１２の回転を開始させるレバー型のスイッチである。
【００３１】
ストップボタンユニット１３６には、３つのストップボタン１３６ａ〜１３６ｃが設けられている。各ストップボタンは、押下することによって対応するリール１１０〜１１２を停止させるボタン型のスイッチである。左ストップボタン１３６ａを操作することによって左リール１１０が、中ストップボタン１３６ｂを操作することによって中リール１１１が、右ストップボタン１３６ｃを操作することによって右リール１１２がそれぞれ停止する。
【００３２】
各ストップボタンの内部にはランプ（図示せず）が設けられており、スタートレバー１３０が操作された後、リール１１０〜１１２の停止操作が可能な状態になると全ランプが点灯し、遊技者に停止操作が可能になったことを報知する。各ストップボタンのランプは各ストップボタンが押下される毎に消灯する。無論、停止操作可能な状態とその他の状態とでランプの発光色を変化させるように構成することもできる。
【００３３】
精算ボタン１３８は、遊技者が獲得したメダルを精算して排出する精算処理を行う場合に押下されるボタンである。なお、精算ボタン１３８は、遊技者がメダル投入口ブロック１３４から投入したメダルのうち所定枚数（例えば３枚）以上のメダルまたは入賞により獲得したメダルを最大５０枚まで貯留するか否かを切換える場合にも使用され、例えば、一回精算ボタン１３８が押下されて精算処理が行われると、非貯留モードが設定され、もう一度精算ボタン１３８が押下されると、貯留モードが設定される。ここに、メダルの貯留とは、メダルを直接払い出さずに、電子的にその枚数を後述する制御部に一時記憶しておくことを意味する。
【００３４】
キー孔１３９は、扉開閉用のキーを差し込む孔で、キーを差し込んで時計方向に回すとロックが解除され、スロットマシン１００の前面扉２０１を開けることができる。メダル排出口１６５は、メダルを排出するための開口であり、入賞時に払い出されるメダルはここから排出される。排出されたメダルは、受皿１６０に溜まるようになっている。
【００３５】
上部ランプ１９０、サイドランプ１５１，１５１、中央ランプ１５２，１５２、腰部ランプ１５３，１５３、下部ランプ１５４，１５４は、遊技を盛り上げるための演出用のランプであり、遊技状態に応じて点灯／消灯／点滅する。また、図示を省略したタイトルパネルランプによりタイトルパネル１４０を照明する。本実施例では、受皿１６０を透光性材料で構成し、受皿取り付け面からランプ光を入射させることで上記演出用のランプと同様の効果を発揮させるように構成している。また、受皿１６０には、着脱可能に構成した灰皿ユニット１７０が設けられている。
【００３６】
なお、上部ランプ１９０の近傍の左右にスピーカーの音孔（図示せず）を設けている。また、ストップボタンユニット１３６の直下に背面スピーカーからの効果音を出力するための音孔が設けられている。背面スピーカーの音孔には、装飾が施されたスピーカーカバー１７３が装着され、ここから遊技の効果音が出力される。
【００３７】
次に、図２、図３を用いて、スロットマシン１００の制御部の回路構成について説明する。スロットマシン１００の制御部は、遊技の中枢部分を制御する主制御部３００と、主制御部３００より送信された信号に応じて各種機器を制御する副制御部４００と、から構成されている。
【００３８】
＜主制御部の構成＞
先ず、図２を用いて、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００３９】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００４０】
また、ＣＰＵ３１０には、後述するセンサやスイッチの状態を常時監視するための監視周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。
【００４１】
タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００４２】
ＣＰＵ３１０には、各ＩＣを制御するためのプログラム、入賞役の内部抽選時に用いる抽選データ、リールの停止位置等を記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する各制御部においても同様である。
【００４３】
また、ＣＰＵ３１０には、外部の信号を受信するための入力インタフェース３６０が接続され、割込み時間ごとに入力インタフェース３６０を介して、メダル受付センサ３２０、スタートレバーセンサ３２１、ストップボタンセンサ３２２、メダル投入ボタンセンサ３２３、精算／貯留スイッチ３２４の状態を検出し、各センサを監視している。
【００４４】
メダル受付センサ３２０は、メダル投入口１３４の内部の通路に２個設置されており、メダルの通過有無を検出する。スタートレバーセンサ３２１は、スタートレバー１３０に設置されており、遊技者によるスタート操作を検出する。ストップボタンセンサ３２２は、各々のストップボタン１３６ａ乃至１３６ｃに設置されており、遊技者によるストップボタンの操作を検出する。
【００４５】
メダル投入ボタンセンサ３２３は、メダル投入ボタン１３２、１３３のそれぞれに設置されており、ＲＡＭ３１３に電子的に貯留されているメダルを遊技用のメダルとして投入する場合の投入操作を検出する。たとえば、ＣＰＵ３１０は、メダル投入ボタン１３２に対応するメダル投入センサ３２３がＨレベルになった場合に、電子的に貯留メダルを１枚投入し、メダル投入ボタン１３３に対応するメダル投入センサ３２３がＨレベルになった場合に、電子的に貯留メダルを３枚投入する。なお、メダル投入ボタン１３３が押された際、貯留されているメダル枚数が２枚の場合は２枚投入され、１枚の場合は１枚投入される。
【００４６】
精算／貯留スイッチ３２４は、精算ボタン１３８に設けられている。精算ボタン１３８が一回押されると、貯留されているメダルを精算し、もう一回押されると、払い出されるメダルが電子的に貯留される貯留モードとなる。なお、以上の各センサは、非接触式のセンサであっても接点式のセンサであってもよい。
【００４７】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。
【００４８】
入力インタフェース３６１には、インデックスセンサ３２５が接続されている。インデックスセンサ３２５は、具体的には、各リール１１０乃至１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。
【００４９】
出力インタフェース３７０には、リールを駆動させるためのリールモータ駆動部３３０と、賞としてメダルを払い出す所謂ホッパー（図示せず）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２７等）と、７セグメント表示器３４１（払出枚数表示器１２４、遊技回数表示器１２５、貯留枚数表示器１２８等）が接続されている。
【００５０】
また、ＣＰＵ３１０には、乱数発生回路３１７がデータバスを介して接続されている。乱数発生回路３１７は、水晶発振器３１１及び水晶発振器３１６から発振されるクロックに基いて、一定の範囲内で値をインクリメントし、そのカウント値をＣＰＵ３１０に出力することのできるインクリメントカウンタであり、入賞役の内部抽選をはじめ各種抽選処理に使用される。本実施例における乱数発生回路３１７は、２つの乱数カウンタを備えている。例えば、水晶発振器３１１のクロック周波数を用いて０〜６５５３５までの値をインクリメントするカウンタと、水晶発振器３１６のクロック周波数を用いて０〜１６７７７２１５までの値をインクリメントするカウンタが備えている。
【００５１】
また、ＣＰＵ３１０のデータバスには、副制御部４００にコマンドを送信するための出力インタフェース３７１が接続されている。
【００５２】
＜副制御部の構成＞
次に、図３を用いて、スロットマシン１００の副制御部４００について説明する。副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。
【００５３】
クロック補正回路４１４は、水晶発振器４１１から発振されたクロックを補正し、補正後のクロックをシステムクロックとしてＣＰＵ４１０に供給する回路である。
【００５４】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００５５】
ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。
【００５６】
また、ＣＰＵ４１０には、外部の信号を送受信するための入出力インタフェース４６０が接続されており、入出力インタフェース４６０には、各リール１１０乃至１１２の絵柄を背面より照明するためのバックライト４２０、前面扉２０１の開閉を検出するための扉センサ４２１、ＲＡＭ４１３のデータをクリアにするためのリセットスイッチ４２２が接続されている。
【００５７】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。
【００５８】
また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。
【００５９】
ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、液晶画面制御部５００からの信号を入力するための入力インタフェース４７１、時計ＩＣ４２３、７セグメント表示器４４０への信号を出力するための出力インタフェース４７２が接続されている。
【００６０】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定情報を店の係員等が確認できるようになっている。
【００６１】
更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１９０、サイドランプ１５１、中央ランプ１５２、腰部ランプ１５３、下部ランプ１５４、リールパネルランプ１２９、タイトルパネルランプ１４１、受皿ランプ２１０、払出口ストロボ１７１を制御する。なお、リールパネルランプ１２９はリールパネルを照明するランプであり、タイトルパネルランプ１４１はタイトルパネル１４０を照明するランプであり、払出口ストロボ１７１は、メダル払出口１６５の内側に設置されたストロボタイプのランプであり、受皿ランプ２１０は受皿１６０を照明するランプであるが、図１においては表記されていない。
【００６２】
なお、ＣＰＵ４１０は、液晶画面制御部５００への信号送信は、デマルチプレクサ４１９を介して実施する。逆に、ＣＰＵ４１０は、入力インタフェース４７１を介して液晶画面制御部５００からの信号を受信する。すなわち、ＣＰＵ４１０は、デマルチプレクサ４１９と入力インタフェース４７１を介して液晶画面制御部５００と双方向通信を行う。
【００６３】
＜可変表示装置＞
次に、可変表示装置１０００の概略について説明する。図４は、リール表示窓１１３の裏側に配置されているリール１１０乃至１１２（以下、これらの各リールをリールユニット１００１という）を備える可変表示装置１０００の斜視図である。また、図５は、可変表示装置１０００に設けるリールユニット１００１を示し、（ａ）はリールユニット１００１の側面図、（ｂ）はリールユニット１００１の正面図である。更に、図６は、リールユニット１００１の分解斜視図である。
【００６４】
図示の可変表示装置１０００は、３個のリールユニット１００１から構成してある。即ち、図４に示すように、可変表示装置１０００は、上向きに開いたほぼコ字状のフレーム１１００に、３個のリールユニット１００１が列設してあり、上方の開いた部分を横板１１０１によって連結している。また、フレーム１１００の上部後方には、各リールユニット１００１を制御するための制御基板を備える制御ユニット１２００が設けてある。
【００６５】
リールユニット１００１は、例えば、図６に示すように、上下端にほぼＬ字状の連結部１３１１及び取付台座部１３１２を有するブラケット１３００と、駆動源であるモータ１４１０と、複数の絵柄を配置した回転体であるリール本体１５００（以下、リール１５００と略称することがある）と、このリール１５００の基準位置を検出するセンサ手段１６００と、図示していないバックライト等を主な構成部材とし、これらの部材がブラケット１３００に取り付けられている。
【００６６】
回転体としてのリール１５００、即ちリール本体１５００は、複数の絵柄を配置して円筒状に繋いだリール帯１５１０と、このリール帯１５１０の両側端を挟むようにする第１リム部材１５２０及び第２リム部材１５３０とからなる。第１リム部材１５２０は、モータ１４１０を接続する中央部分のハブ部１５２１と、前記リール帯１５１０の一側縁が止着される周囲のリム部１５２２と、前記ハブ部１５２１と前記リム部１５２２とを結ぶように、前記ハブ部１５２１から放射状に延びる４本のアーム部１５２３と、からなる。一方、第２リム部材１５３０は、前記リール帯１５１０の他側縁を支えるリム部１５３１を備えたリング上の部材である。なお、これらの部材には、適宜に空間部や薄肉部を設けて軽量化を図るように構成してある。
【００６７】
前記したように構成したリール本体１５００を、駆動源であるモータ１４１０の回転軸１４１１に固定する。例えば、リール本体のハブ部１５２１の中央に開設した取付孔１５２１ａに通した固定ネジ１５２５を、回転軸１４１１の先端部分のネジ孔に螺合させて固定する。
【００６８】
リールユニット１００１を可変表示装置１０００のフレーム１１００に取り付けるためのブラケット１３００は、金属板を折曲して形成した部材であって、例えば、図５や図６において、起立状態に位置する。このブラケット１３００は、ほぼ平板状に形成した基板部１３１０の上端部に、側方に向けてＬ字状に延出する連結部１３１１を有し、また前記基板部１３１０の下端部に、側方に向けてＬ字状に延出する取付台座部１３１２を有し、更に前記取付台座部１３１２の前縁には係止縁部１３１３が下向きに延出している。そして、基板部１３１０には、適宜に開口部が設けてあり、必要に応じて補強用のリブを設けたり、位置決め用或いは取付用の孔が適宜に設けてある。
【００６９】
また、ブラケット１３００には、リール１５００の基準位置を検出するためのセンサ手段１６００が取付けてある。このセンサ手段１６００は、例えばフォトセンサ１６１０であり、前記アーム部１５２３の１本に取り付けた遮光片１５２４がフォトセンサ１６１０の光軸を横切るように構成してある。そして、リール１５００が１回転する毎に、遮光片１５２４がフォトセンサ１６１０によって検出され、検出後のモータ１４１０の駆動量、例えばパルスモータならば駆動パルス数に基づいて、表示する絵柄を特定するようになっている。そして、このセンサ手段１６００が、制御部の説明で示したインデックスセンサ３２５を構成する。
【００７０】
回転体としてのリール１５００、即ちリール本体１５００を、回転駆動するためのモータ１４１０は、前記したように、例えばパルスモータであるが、他の駆動形式を有する駆動モータを使用してもよい。
【００７１】
本発明に係る可変表示装置１０００においては、回転体であるリール１５００に働く慣性力によってリール１５００が振動しないようにする振動吸収手段が設けてある。即ち、図示の実施例では、モータ１４１０を固定したモータ固定板１４００とブラケット１３００との間に、振動吸収手段を介在させている。なお、モータ１４１０とモータ固定板１４００とは一体状態にあるので、これらをモータ或いはモータ自体ということがある。
【００７２】
振動吸収手段は、モータ１４１０を固定したモータ固定板１４００を、可変表示装置１０００のフレーム１１００に固定するためのブラケット１３００に対して、回転可能に支持する支持部材と、モータ自体の振動を減衰させる弾性部材と、から構成してある。具体的には、図７及び図８に示す実施例においては、先ず、図示していないネジ止め手段や接着手段等によって、モータ１４１０をモータ固定板１４００に固定して一体とする。次に、モータ固定板１４００を、上下方向のほぼ中心線上に設けた回転支軸Ｐを支点にして回転自在となるように支持する支持部材を設ける。このため、この実施例においては、前記回転支軸Ｐを形成すると共に、モータ固定板１４００とブラケット１３００との間隔を所定の間隔に保つために、金属製のスペーサ１７１０を前記支持部材としてモータ固定板１４００とブラケット１３００との間に介在させている。
【００７３】
そして、このスペーサ１７１０の先端側の小径部分１７１１を、モータ固定板１４００に開設した軸孔１４０１に回転自在に嵌合させ、スペーサ１７１０の後端側の小径部分１７１２をブラケット１３００に開設した受孔１３２０に嵌合させている。また、スペーサ１７１０の先端側の小径部分１７１１には、抜け止めとして、いわゆるＥリング１７１３を嵌着している。従って、モータ固定板１４００は、スペーサ１７１０の先端側の小径部分１７１１を回転支軸Ｐとして、左右に所定の角度回転可能に支持される。
【００７４】
更に、この実施例においては、前記金属製のスペーサ１７１０とモータ固定板１４００との間、及びモータ固定板１４００とＥリング１７１３との間に、樹脂製のスペーサ、いわゆるワッシャ１７１４を介在させている。このため、モータ固定板１４００が樹脂製のワッシャ１７１４、１７１４によって挟まれる形になっているので、モータ固定板１４００が回転支軸Ｐを中心にして回転するときの抵抗が低減される。
【００７５】
そこで、図面に示す実施例においては、モータ自体の振動を減衰させる弾性部材を介在させている。即ち、図示の実施例においては、弾性部材としてコイルスプリング１７２１を、モータ固定板１４００とブラケット１３００との間に介在させている。具体的には、コイルスプリング１７２１の一端を、モータ固定板１４００に開設した一対の係止孔１４２１に係止させ、他端を、ブラケット１３００に開設した一対の止め孔１３２１に係止させて、モータ固定板１４００がコイルスプリング１７２１の弾性変形範囲内で回転するように構成してある。
【００７６】
従って、弾性部材として設けたコイルスプリング１７２１により、モータ１４１０の回転駆動を停止したときに、回転体であるリール１５００に発生する慣性力に起因する回転体の振動を吸収することができる。言い換えると、リール１５０が振動してしまい、リール１５００による表示が振れることがない。そして、リール１５００が停止するときの挙動を煩わしく感じることがなく、遊技者の遊技意欲を減退させたり、遊技者に不信感を抱かせることがない。
【００７７】
また、図面に示す実施例においては、モータ固定板１４００とブラケット１３００との間に、第２の弾性部材を介在させている。この第２の弾性部材は、例えば、三次元方向の振動を吸収可能な、いわゆる防振ゴムからなる防振部材１７３０である。そこで、第２の弾性部材を設けた実施例によれば、モータ自体の振動をより効率的に減衰させることが可能になる。
【００７８】
例えば、図５及び図６に構図を示すリールユニット１００１においては、回転するリール１５００の軽量化が図られているが、リール１５００には依然として質量が存在する。このため、図８（ａ）に示すように、モータ１４１０を矢印方向に駆動してリール１５００を回転させ、所定のタイミングで停止させると、リール１５００には慣性力が働き、モータ１４１０の駆動を停止しても、リール１５００が回り続ける現象が生じる。このため、モータ１４１０の駆動を停止すると、図８（ｂ）に示すように、モータ固定板１４００が、前記スペーサ１７１０ーの先端側の小径部分１７１１を回転支軸Ｐとして、同図に実線で示す位置まで、回転する。
【００７９】
このとき、前記した弾性部材であるコイルスプリング１７２１が引っ張られるため、このコイルスプリング１７２１による付勢によって、モータ固定板１４００が所定の位置に戻され、この位置を維持するようになる。
【００８０】
また、同様に、第２の弾性部材である防振部材１７３０によっても、モータ固定板１４００の回転及び振動が減衰され、所定の位置を維持するように作用する。なお、防振ゴムによれば、モータ１４１０の回転方向及びその反転方向ばかりではなく、軸線方向の振動を減衰することが可能で、即ち３方向の振動を減衰させることができる。
【００８１】
このように、弾性部材を設けることによって、回転体であるリール１５００の振動を吸収して、モータ１４１０に負荷が掛り難く構成すると、モータの小型化が可能になって、コストの削減も期待できる。また、負荷が掛り難いと、故障の発生も防止可能になり、メンテナンス面の効果も発揮される。
【００８２】
なお、この実施例では、リール１５００を起立状態で縦方向に回転するように構成しているが、リール１５００を寝かせた状態で水平方向に回転させるように構成してもよい。
【００８３】
図９に示す実施例では、回転支軸Ｐに減摩手段としてベアリング１７１５を設けている。このように、ベアリング１７１５を設けることにより、回転支軸Ｐを支点とするモータ固定板１４００の回転を円滑にすると、モータ１４１０が停止したときにリール１５００に発生する慣性力に伴うモータ固定板１４００の回転を円滑に行うことができる。そして、この実施例においては、円滑となったモータ固定板１４００の回転を、弾性部材であるコイルスプリング１７２１、及び第２の弾性部材である防振部材１７３０により、一気に吸収、減衰させるものである。なお、この実施例において、前記した実施例と同じ機能を備える部材には、同一符号を付けて説明を省略する。
【００８４】
この実施例によっても、モータ１４１０の回転駆動を停止したときに、リール１５００に発生する慣性力に基づくモータ自体の振動を吸収、減衰することができる。また、リール１５００に発生する慣性力が、モータ１４１０側に伝達し難くなる。
【００８５】
図１０に示す実施例では、モータ固定板１４００の上方部分には、モータ固定板１４００の回転支軸Ｐを形成すると共に、モータ固定板１４００とブラケット１３００との間隔を所定の間隔に保つために、金属製のスペーサ１７１０（第１スペーサ１７１０−１）をモータ固定板１４００とブラケット１３００との間に介在させている。即ち、この第１スペーサ１７１０−１の先端側の小径部分１７１１（以下、ピン１７１１と略称することがある。）を、モータ固定板１４００に開設した軸孔１４０１に回転自在に嵌合させ、第１スペーサ１７１０−１の後端側の小径部分１７１２をブラケット１３００に開設した受孔１３２０に嵌合させている。また、第１スペーサ１７１０−１のピン１７１１には、抜け止めとして、いわゆるＥリング１７１３を嵌着している。更に、この実施例においては、前記金属製のスペーサ１７１０とモータ固定板１４００との間、及びモータ固定板１４００とＥリング１７１３との間に、樹脂製のスペーサ、いわゆるワッシャ１７１４を介在させている。このため、モータ固定板１４００が樹脂製のワッシャ１７１４、１７１４によって挟まれる形になっているので、モータ固定板１４００が回転支軸Ｐを中心にして回転するときの抵抗が低減される。
【００８６】
一方、モータ固定板１４００の下方部分には、モータ１４１０の回転軸１４１１を支点にして、前記ピン１７１１による回転支軸Ｐと対称となる位置に、貫通孔１４２２を開設している。この貫通孔１４２２は、前記回転支軸Ｐ、即ち上側の第１スペーサ１７１０−１のピン１７１１を中心とする円弧上に位置している。また、貫通孔１４２２には、下側に位置する金属製のスペーサ１７１０（第２スペーサ１７１０−２）のピン１７１１を挿入し、ピン１７１１の先端に抜け止めとしてＥリング１７１３を嵌着することにより、モータ固定板１４００が脱落しないように取り付ける。なお、この下側の金属製の第２スペーサ１７１０−２についても樹脂製のワッシャ１７１４を嵌着している。従って、モータ固定板１４００は、前記上側の第１スペーサ１７１０−１のピン１７１１を回転支軸Ｐとし、下側の第２スペーサ１７１０−２のピン１７１１が遊嵌する貫通孔１４２２の範囲内で、回転可能である。
【００８７】
また、この実施例においても、モータ固定板１４００とブラケット１３００との間には、弾性部材として防振ゴムからなる防振部材１７３０を介在させる。このため、モータ１４１０の回転駆動が停止したときに、リール１５００に発生する慣性力に基づく、回転体であるリール１５００の回転及びモータ自体の振動を、前記防振部材１３７０によって吸収、減衰することが可能である。また、リール１５００に発生する慣性力を、モータ１４１０側に伝達し難くすることができる。
【００８８】
図１１に示す実施例は、前記した図１０に示す実施例において、上側に位置する金属製の第１スペーサ１７１０−１によって形成した回転支軸Ｐに、ベアリング１７１５を設けている。なお、この実施例において、前記した実施例と同じ機能を備える部材には、同一符号を付けて説明を省略する。
【００８９】
この実施例によれば、ベアリング１７１５を設けることにより、回転支軸Ｐを支点にするモータ固定板１４００の回転を円滑にすることができ、モータ１４１０が停止したときにリール１５００に発生する慣性力に伴うモータ固定板１４００の回転を円滑に行い、この円滑となったモータ固定板１４００の回転を、弾性部材として設けた防振ゴムよりなる防振部材１７３０により、一気に吸収、減衰させることができる。従って、モータ１４１０の回転駆動が停止したときに、リール１５００に発生する慣性力に基づく、回転体であるリール１５００の回転及びモータ自体の振動を、前記防振部材１３７０によって吸収、減衰することが可能である。また、リール１５００に発生する慣性力を、モータ１４１０側に伝達し難くすることができる。
【００９０】
図１２に示す実施例では、図１０に示した実施例とほぼ同じ構成を備えており、モータ固定板１４００の下方に開設した貫通孔１４２２に遊嵌させた下側に位置する金属製の第２スペーサ１７１０−２のピン１７１１に、スプリングホルダー１７４１を設け、このスプリングホルダー１７４１の左右に弾性部材としてスプリング１７４２Ｌ及び１７４２Ｒの内端を止着している。また、各スプリング１７４２Ｌ、１７４２Ｒの外端を、ブラケット１３００から起立しているスプリングブラケット１３３１にそれぞれ止着している。なお、左右のスプリング１７４２Ｌ、１７４２Ｒの牽引力は、同一に設定する。また、前記した図１０に示した実施例と同じ構成の部材には、同一符号を付して説明を省略する。
【００９１】
そこで、スプリングホルダー１７４１は、通常、貫通孔１４２２の中央に位置する。一方、モータ１４１０を停止させたときに、リール１５００が受ける慣性力により、モータ固定板１４００が、回転支軸Ｐを支点にして、先ず回転方向と同じ方向に回動する。このとき、右側のスプリング１７４２Ｒが、引っ張られる。一方、左側のスプリング１７４２Ｌは圧縮される。従って、左右のスプリング１７４２Ｌ、１７４２Ｒによって、モータ固定板１４００が中央に戻り、発生した慣性力を左右のスプリング１７４２Ｌ、１７４２Ｒによって吸収し、回転体であるリール１５００の回転を吸収することができる。
【００９２】
この実施例によれば、リール１５００に発生する慣性力を、弾性部材を構成する左右のスプリング１７４２Ｌ、１７４２Ｒによって吸収することができる。言い換えると、モータ自体の振動を減衰させることができる。また、リール１５００に発生する慣性力を、モータ１４１０側に伝達し難くすることができる。
【００９３】
図１３に示す実施例は、図１２に示した実施例において、回転支軸Ｐをベアリング１７１５で支承するようにしたものである。即ち、モータ固定板１４００の上側に開設した軸孔１４０１にベアリング１７１５を嵌着し、このベアリング１７１５に上側の第１スペーサ１７１０−１のピン１７１１を嵌合させたものである。なお、図１２に示す実施例と同じ構成の部材には、同一符号を付して説明を省略する。
【００９４】
この実施例によれば、ベアリング１７１５を設けることにより、回転支軸Ｐを支点にするモータ固定板１４００の回転を円滑にすることができ、この円滑となったモータ固定板１４００の回転を、弾性部材である左右のスプリング１７４２Ｌ、１７４２Ｒにより吸収することができる。従って、左右のスプリング１７４２Ｌ、１７４２Ｒによって、リール１５００に発生する慣性力を吸収することができる。そして、モータ自体の振動を減衰させることができる。また、リール１５００に発生する慣性力を、モータ１４１０側に伝達し難くすることができる。
【００９５】
図１４に示す実施例は、図１２に示した実施例において、スプリングホルダー１７４１の右側に設けたスプリング１７４２Ｒを、ダンパー１７５１に交換したものである。即ち、右側のスプリング１７４２Ｒをダンパー１７５１に交換することにより、モータ固定板１４００の回転をいち早く減衰させ、モータ固定板１４００を中央により早く停止するように構成したものである。なお、図１２に示す実施例と同じ構成の部材には、同一符号を付して説明を省略する。
【００９６】
この実施例によれば、モータ１４１０を停止したときにリール１５００に発生する慣性力に伴うモータ固定板１４００の急激な回転をダンパー１７５１によって吸収すると共に、徐々に復帰して定位置である中央にモータ固定板１４００を戻すことができる。すなわち、リール１５００に発生する慣性力を吸収することができる。そして、モータ自体の振動を減衰させることができる。また、リール１５００に発生する慣性力を、モータ１４１０側に伝達し難くすることができる。
【００９７】
図１５に示す実施例では、図１４に示した実施例において、回転支軸Ｐをベアリング１７１５で支承するようにしたものである。即ち、モータ固定板１４００の上方に開設した軸孔１４０１にベアリング１７１５を嵌着し、このベアリング１７１５に上側に位置する金属製の第１スペーサ１７１０−１のピン１７１１を嵌合させたものである。なお、図１４に示す実施例と同じ構成の部材には、同一符号を付して説明を省略する。
【００９８】
この実施例によっても、モータ１４１０を停止したときにリール１５００に発生する慣性力に伴うモータ固定板１４００の急激な回転をダンパー１７５１によって吸収すると共に、徐々に復帰して定位置である中央にモータ固定板１４００を戻すことができる。また、ベアリング１７１５により摩擦を減少させているので、ダンパー１７５１をより有効に機能させることが可能である。そして、リール１５００に発生する慣性力を吸収することができ、モータ自体の振動を減衰させることができる。また、リール１５００に発生する慣性力を、モータ１４１０側に伝達し難くすることができる。
【００９９】
図１６に示す実施例では、先ず、図示していないネジ止め手段や接着手段等によって、モータ１４１０をモータ固定板１４００に固定する。次に、モータ固定板１４００を、上下方向のほぼ中心線上に設けた回転支軸Ｐを支点にして回転自在なように支持する。このため、この実施例においては、前記回転支軸Ｐを形成すると共に、モータ固定板１４００とブラケット１３００との間隔を所定の間隔に保つために、金属製のスペーサ１７１０をモータ固定板１４００とブラケット１３００との間に介在させている。
【０１００】
そして、このスペーサ１７１０の先端側の小径部分１７１１を、モータ固定板１４００に開設した軸孔１４０１に回転自在に嵌合させ、スペーサ１７１０の後端側の小径部分１７１２をブラケット１３００に開設した受孔１３２０に嵌合させている。また、スペーサ１７１０の先端側の小径部分１７１１には、抜け止めとして、いわゆるＥリング１７１３を嵌着している。このとき、前記金属製のスペーサ１７１０とモータ固定板１４００との間、及びモータ固定板１４００とＥリング１７１３との間に、樹脂製のスペーサ、いわゆるワッシャ１７１４を介在させている。このため、モータ固定板１４００が樹脂製のワッシャ１７１４、１７１４によって挟まれる形になっているので、モータ固定板１４００が回転支軸Ｐを中心にして回転するときの抵抗が低減される。
【０１０１】
一方、モータ固定板１４００の下方には、取付孔１４０２を開設し、この取付孔１４０２に防振ゴム製のブッシュ１７６０を嵌合させている。即ち、モータ固定板１４００の中心線上であって、モータ１４１０の回転軸１４１１を中心として、前記回転支軸Ｐと対称な位置に、前記軸孔１４０１に比較して比較的大きな取付孔１４０２を開設する。この取付孔１４０２には、弾性部材として、防振ゴムからなり、中央にネジ挿通孔１７６１を有する円筒型のブッシュ１７６０を嵌合する。
【０１０２】
そして、前記ブッシュ１７６０のネジ挿通孔１７６１に、止めネジ１７６２を挿通してブラケット１３００のネジ孔１３２２に螺合させることにより、モータ固定板１４００を所定の位置に固定する。なお、このとき、ブッシュ１７６０の前端面にはワッシャ１７６３を介在させ、止めネジ１７６２の頭がネジ挿通孔１７６１に嵌入することを防止するとよい。
【０１０３】
この実施例によれば、モータ１４１０を停止させたときに、リール１５００に加わる慣性力によってモータ固定板１４００が、回転支軸Ｐを中心に回転しようとしても、モータ固定板１４００の下方側がブッシュ１７６０を介してブラケット１３００に固定されているので、モータ固定板１４００の回転を防振ゴムよりなるブッシュ１７６０によって吸収することができる。従って、回転体であるリール１５００の回転を、防振ゴムよりなるブッシュ１７６０によって吸収することができる。また、モータ自体の振動を減衰させることができる。更に、リール１５００に発生する慣性力を、モータ１４１０側に伝達し難くすることができる。
【０１０４】
図１７に示す実施例では、図１６に示した実施例において、回転支軸Ｐをベアリング１７１５で支承するようにしたものである。即ち、モータ固定板１４００の軸孔１４０１にベアリング１７１５を嵌着し、このベアリング１７１５に金属製スペーサ１７１０のピン１７１１を嵌合させたものである。なお、図１６に示す実施例と同じ構成の部材には、同一符号を付して説明を省略する。
【０１０５】
この実施例よれば、回転支軸Ｐにベアリング１７１５を設けているので、モータ固定板１４００が回転支軸Ｐを中心にして回転しようとする際の抵抗を低減することができる。また、回転体であるリール１５００の回転を、防振ゴムよりなるブッシュ１７６０によって吸収することができる。更に、モータ自体の振動を減衰させることができる。そして、リール１５００に発生する慣性力を、モータ１４１０側に伝達し難くすることができる。
【０１０６】
図１８に示す実施例では、モータ固定板１４００の上下をブッシュ１７６０を介して、ブラケット１３００に固定している。即ち、モータ固定板１４００の中心線を通り、モータ１４１０の回転軸１４１１を中心にして対称な位置に、取付孔１４０２を開設し、この取付孔１４０２に、防振ゴムよりなるブッシュ１７６０を嵌着してる。このブッシュ１７６０は、中央にネジ挿通孔１７６１を有している。そこで、これらのネジ挿通孔１７６１に、それぞれ止めネジ１７６２を挿通してブラケット１３００のネジ孔１３２２に螺合する。なお、ブッシュ１７６０の前端面には、ワッシャ１７６３が介在させてあり、止めネジ１７６２の頭がネジ挿通孔１７６１に嵌入することを防止している。
【０１０７】
この実施例によれば、モータ１４１０を停止させたときにリール１５００に加わる慣性力によって、モータ固定板１４００が回転しようとしても、モータ固定板１４００の上下に配置したブッシュ１７６０がその回転を緩衝する。即ち、図１９（ａ）に示すように、モータ１４１０が矢印方向（反時計回り）に回転しているときは、モータ固定板１４００は定位置にある。
【０１０８】
一方、モータ１４１０を停止させると、図１９（ｂ）に実線で示すように、モータ１４１０の回転軸１４１１の位置を支点にして、モータ固定板１４００が反時計回りに僅かに回転する。これは、モータ１４１０が停止したときにリール１５００に加わる慣性力による。
【０１０９】
しかし、この実施例においては、モータ固定板１４００の上下を防振ゴムよりなるブッシュ１７６０を介して固定しているので、このブッシュ１７６０が変形することにより、モータ固定板１４００の回転を吸収することができる。従って、この実施例によれば、回転体であるリール１５００の振動を、防振ゴムよりなるブッシュ１７６０によって吸収することができる。また、モータ自体の振動を減衰させることができる。そして、リール１５００に発生する慣性力を、モータ１４１０側に伝達し難くすることができる。
【０１１０】
図２０に示す実施例では、リール１５００とモータ１４１０との間に、防振ゴムよりなる接続具１７７０を介在させている。この接続具１７７０は、一対のフランジ部１７７１の間に、円筒型の防振ゴムにより緩衝部１７７２が形成してある。また、リール側のフランジ部１７７１の中心には、リール取付ネジ部１７７３を設け、モータ側のフランジ部１７７１の中心には、モータ取付ネジ部１７７４が設けてある。そして、モータ１４１０の回転軸１４１１の中央に設けた接続ネジ孔１４１２に、モータ取付ネジ部１７７４を螺着すると共に、前記回転軸１４１１の側方から、ビス１７７５を締め込んで、モータ１４１０の回転軸との間の緩み止めを行なう。
【０１１１】
一方、リール１５００側では、リール取付ネジ部１７７３を、リール１５００のハブ部１５２１に設けた取付孔１５２１ａに挿通する共に、このリール１５取付ネジ部１７７３の先端部分に、ナット１７７６を螺着してリール１５００を接続具１７７０に固定する。
【０１１２】
このような実施例においては、モータ１４１０が停止してリール１５００に慣性力が加わった場合には、接続具１７７０の緩衝部１７７２がねじれることにより、モータ１４１０の回転軸１４１１には慣性力が加わらないようになっている。従って、この実施例によれば、回転体であるリール１５００の振動を、防振ゴムよりなる接続具１７７０によって吸収することができる。また、モータ自体の振動を減衰させることができる。そして、リール１５００に発生する慣性力を、モータ１４１０側に伝達し難くすることができる。
【０１１３】
図２１に示す実施例は、モータ１４１０を取り付けたモータ固定板１４００と、ブラケット１３００とが、防振ゴムからなる防振部材１７８０を介して固定されている。即ち、モータ固定板１４００に対してモータ１４１０が例えば図示していない取付ネジによって取り付けられている。そして、このモータ固定板１４００に裏面には、防振部材１７８０の一面が接着剤、例えばエポキシ樹脂系接着剤によって、固定されている。また、この防振部材１７８０の他面には、ブラケット１３００が例えばエポキシ樹脂系接着剤によって固定されている。
【０１１４】
このように、防振ゴムを素材とする防振部材１７８０を介してモータ固定板１４００をブラケット１３００に取り付ける場合には、モータ１４１０の回転方向への変位ばかりではなく、モータ１４１０の軸方向への変位も吸収可能である。即ち、モータ１４１０を停止させたときにリール１５００に発生する慣性力により、回転体であるリール１５００が振動しようとしても、この振動を防振部材１７８０によって吸収することができる。また、モータ自体の振動を減衰させることができる。そして、リール１５００に発生する慣性力を、モータ１４１０側に伝達し難くすることができ、モータ１４１０に負荷が加わらないように構成することができる。
【０１１５】
図２２に示す実施例は、モータ１４１０を、弾性支持部材としての防振ゴムよりなる取付台１７９０に取り付け、この取付台１７９０をブラケット１３００に固定するものである。即ち、取付台１７９０は、正面側にモータ１４１０の外形に対応して、図示の実施例では、矩形の取付穴部１７９１を備えている。そして、この取付穴部１７９１にモータ１４１０の一部を嵌合させるとと共に、接着剤、例えばエポキシ樹脂系接着剤によって固定する。また、防振ゴムによりなる取付台１７９０の背面側を、前記接着剤によって、ブラケット１３００に固定するのである。
【０１１６】
このような実施例によれば、モータ固定板１４００を省略することができる。そして、この取付台１７９０によれば、モータ１４１０の回転方向への変位ばかりではなく、モータ１４１０の軸方向への変位も吸収可能である。従って、回転体であるリール１５００が振動しようとしても、この振動を取付台１７９０によって吸収することができる。また、モータ自体の振動を減衰させることができる。そして、リール１５００に発生する慣性力を、モータ１４１０側に伝達し難くすることができ、モータ１４１０に負荷が加わらないように構成することができる。
【０１１７】
図２３は、遊技台としてのパチンコ機２０００の斜視図である。パチンコ機２０００は、所定の入賞口２１１０を有する遊技領域２１５０を備え、所定の入賞口２１１０に遊技球が入球することにより、遊技者に所定の特典を与える遊技台である。
【０１１８】
そこで、パチンコ機２０００は、遊技者が遊技球であるパチンコ玉の打ち出しを行なうためのハンドル２１２０と、ハンドル２１２０に対する操作により打ち出されるパチンコ玉が導入される受皿２１３０と、パチンコ玉が打ち出されるほぼ円形の遊技領域２１５０を形成した遊技盤２１００と、を備える。遊技領域２１５０には図示していない多数の障害釘が配設され、遊技領域２１５０の上部から落下するパチンコ玉は障害釘に衝突して流下方向を変えながら遊技領域２１５０の下部に設けたアウト口（図示せず）へ落下する。遊技領域２１５０には入賞口２１１０が配設されており、入賞口２１１０へパチンコ玉が入球すると予め定めた特典が遊技者に付与される。また、遊技領域２１５０のほぼ中央には、前記したリール１５００を備える可変表示装置１０００を配設する。
【０１１９】
図２５はパチンコ機の制御系の機能ブロック図である。パチンコ機は制御部２３００を有する。制御部はＣＰＵ等の処理手段２３１０、乱数を発生する乱数発生手段２３２０、ＲＡＭ等の第１記憶手段２３３１、及び、ＲＯＭ等の第２記憶手段２３３２を有する。センサ２３４０は入賞口２１１０に設けられ、パチンコ玉の入球を検出するセンサ２３４０である。その他のデバイス２３５０は、その他のデバイス（ランプ、パチンコ玉の払い出し装置等）を示している。
【０１２０】
処理手段２３１０は、大当たりの抽選の実行条件が成立したか否かを判定する実行条件判定手段として機能する。大当たりの抽選の実行条件は、センサ２３４０により入賞口２１１０にパチンコ玉が入球したことが検出された時に成立する。処理手段２３１０は、大当たりの抽選の実行条件が成立すると乱数発生手段２３２０から乱数値を取得し、第１記憶手段２３３１に記憶する。
【０１２１】
乱数値は大当たりの抽選の実行条件の成立毎に予め定めた記憶上限回数を上限として順次記憶される。例えば、４回分の抽選結果が記憶される。４回分の乱数値が記憶されている場合、新たな乱数値は破棄される。処理手段２３１０は第１記憶手段２３３１に乱数値が記憶されていることを条件として、当該乱数値に基づき大当たりの抽選を行う、抽選手段として機能する。第１記憶手段２３３１に複数回分の乱数値が記憶されている場合には最も古いものから順番に選択する。
【０１２２】
抽選結果が大当たりの場合は、大当たりに対応した識別情報が、可変表示装置１０００に表示されると、ボーナスゲームが開始されて遊技者には多数のパチンコ玉が払出されるチャンスが与えられる。
【０１２３】
遊技者に付与される特典は、例えば、賞球としてパチンコ玉を払い出すことである。また、特典を、前記した大当たりの抽選の実行とすることもできる。大当たりの抽選で当選すると、遊技者に多数のパチンコ玉が賞球として払い出されるチャンスが与えられる。
【０１２４】
このような、パチンコ機２０００によれば、可変表示装置１０００に設けたリール１５００に発生する慣性力を吸収することが可能である。従って、リール１５００が停止する際に、発生した慣性力によってリール１５００が振動することが無くなるので、見易い表示が可能である。また、一旦停止した表示が再び動き出して逆戻りするような現象も発生しないので、遊技者に不信感を与えることもない。
【０１２５】
以上、本発明を図示の実施例について説明したが、本発明は前記した各実施例に限定されるものではなく、特許請求の範囲に記載した構成を変更しない限り適宜に実施できる。例えば、前記した各実施例では、リールを起立させた状態で縦方向に回転するように構成しているが、リールを寝かせた状態で水平方向に回転させるように構成してもよい。また、弾性部材として防振ゴムを例示しているが、振動或いは衝撃を吸収することができれば、どのような材質であってもよく、例えばゲル状の高分子素材によって弾性部材を形成することができる。
【図面の簡単な説明】
【０１２６】
【図１】遊技台の一例であるスロットマシンの正面図である。
【図２】スロットマシンの主制御部を示すブロック図である。
【図３】スロットマシンの副制御部のブロック図である。
【図４】可変表示装置の斜視図である。
【図５】リールユニットの一例を示し、（ａ）は左側面図、（ｂ）は正面図である。
【図６】リールユニットの一例の分解斜視図である。
【図７】リールユニットの一例を示し、（ａ）は要部の正面図、（ｂ）は（ａ）におけるＡ−Ａ線断面図である。
【図８】モータ固定板の説明図であって、（ａ）はモータ回転中、（ｂ）はモータ停止時をそれぞれ示す。
【図９】リールユニットの他の一例を示し、（ａ）は要部の正面図、（ｂ）は（ａ）におけるＡ−Ａ線断面図である。
【図１０】リールユニットの他の一例を示し、（ａ）は要部の正面図、（ｂ）は（ａ）におけるＡ−Ａ線断面図である。
【図１１】リールユニットの他の一例を示し、（ａ）は要部の正面図、（ｂ）は（ａ）におけるＡ−Ａ線断面図である。
【図１２】リールユニットの他の一例を示し、（ａ）は要部の正面図、（ｂ）は（ａ）におけるＡ−Ａ線断面図、（ｃ）は（ｂ）における矢視Ｂによる底面図である。
【図１３】リールユニットの他の一例を示し、（ａ）は要部の正面図、（ｂ）は（ａ）におけるＡ−Ａ線断面図、（ｃ）は（ｂ）における矢視Ｂによる底面図である。
【図１４】リールユニットの他の一例を示し、（ａ）は要部の正面図、（ｂ）は（ａ）におけるＡ−Ａ線断面図、（ｃ）は（ｂ）における矢視Ｂによる底面図である。
【図１５】リールユニットの他の一例を示し、（ａ）は要部の正面図、（ｂ）は（ａ）におけるＡ−Ａ線断面図、（ｃ）は（ｂ）における矢視Ｂによる底面図である。
【図１６】リールユニットの他の一例を示し、（ａ）は要部の正面図、（ｂ）は（ａ）におけるＡ−Ａ線断面図である。
【図１７】リールユニットの他の一例を示し、（ａ）は要部の正面図、（ｂ）は（ａ）におけるＡ−Ａ線断面図である。
【図１８】リールユニットの他の一例を示し、（ａ）は要部の正面図、（ｂ）は（ａ）におけるＡ−Ａ線断面図である。
【図１９】モータ固定板の説明図であって、（ａ）はモータ回転中、（ｂ）はモータ停止時をそれぞれ示す。
【図２０】リールユニットの他の一例を示す要部の正面図である。
【図２１】リールユニットの他の一例を示し、（ａ）は要部の正面図、（ｂ）は（ａ）におけるＡ−Ａ線断面図である。
【図２２】リールユニットの他の一例を示し、（ａ）は要部の正面図、（ｂ）は（ａ）におけるＡ−Ａ線断面図である。
【図２３】可変表示装置を適用したパチンコ機の概略斜視図である。
【図２４】パチンコ機の制御系の機能ブロック図である。
【符号の説明】
【０１２７】
１００  スロットマシン
１０００  可変表示装置
１００１  リールユニット
１３００  ブラケット
１３１０  基板部
１３１１  連結部
１３１２  取付台座部
１３１３  係止縁部
１４００  モータ固定板
１４０１  軸孔
１４０２  取付孔
１４１０  モータ
１４１１  回転軸
１４１２  接続ネジ孔
１４２１  係止孔
１４２２  貫通孔
１５００  リール本体
１５２０  第１リム部材
１５２１  ハブ部
１５２２  リム部
１５２３  アーム部
１５２４  遮光片
１５３０  第２リム部材
１５３１  リム部
１６００  センサ手段
１６１０  フォトセンサ
１７１０  スペーサ
１７１０−１  第１スペーサ
１７１０−２  第２スペーサ
１７１１  小径部分
１７１２  小径部分
１７１３  Ｅリング
１７１５  ベアリング
１７２１  コイルスプリング
１７３０  防振部材
１７４１  スプリングホルダー
１７４２  スプリング
１７５１  ダンパー
１７６０  ブッシュ
１７７０  接続具
１７７１  フランジ部
１７７２  緩衝部
１７８０  防振部材
１７９０  取付台
２０００  パチンコ機
２１００  遊技盤
２１１０  入賞口
２１２０  ハンドル
２１３０  受皿
２１５０  遊技領域
２２３１  第１記憶手段
２２３２  第２記憶手段
２３００  制御部
２３１０  処理手段
２３２０  乱数発生手段
２３４０  センサ
２３５０  その他のデバイス
【図１】
2008006041.tif 000003
【図２】
2008006041.tif 000004
【図３】
2008006041.tif 000005
【図４】
2008006041.tif 000006
【図５】
2008006041.tif 000007
【図６】
2008006041.tif 000008
【図７】
2008006041.tif 000009
【図８】
2008006041.tif 000010
【図９】
2008006041.tif 000011
【図１０】
2008006041.tif 000012
【図１１】
2008006041.tif 000013
【図１２】
2008006041.tif 000014
【図１３】
2008006041.tif 000015
【図１４】
2008006041.tif 000016
【図１５】
2008006041.tif 000017
【図１６】
2008006041.tif 000018
【図１７】
2008006041.tif 000019
【図１８】
2008006041.tif 000020
【図１９】
2008006041.tif 000021
【図２０】
2008006041.tif 000022
【図２１】
2008006041.tif 000023
【図２２】
2008006041.tif 000024
【図２３】
2008006041.tif 000025
【図２４】
2008006041.tif 000026